(57)【要約】【課題】桁部の変形を抑制できるパレットを提供する。【解決手段】隅桁２１は、第１フォーク挿通路２５と隣接し該第１フォーク挿通路２５に沿って延びる第１側壁３１ａ、及び第２フォーク挿通路２６と隣接し該第２フォーク挿通路２６に沿って延びる第２側壁３１ｂを含む略矩形筒状の外周壁３１を有し、該外周壁３１がパレットの上壁部と下壁部とを連結するように構成される。そして、隅桁２１は、第１側壁３１ａと第２側壁３１ｂとが交わる角部において、第１側壁３１ａ及び第２側壁３１ｂの各々と繋がる第１及び第２全高区画リブ３２ａ，３２ｂによって区画された補強区画部３２と、第１及び第２全高区画リブ３２ａ，３２ｂから突出するように形成され、上壁部及び下壁部の各々と繋がる補強リブ（第１の補強リブ３３、第２の補強リブ３４及び第３の補強リブ３５ａ，３５ｂ）とを備えている。【選択図】図３
2018122926.tif 000002
【特許請求の範囲】
【請求項１】
直方体状をなす四方差し構造のパレットであって、
前記パレットの上面を構成する上壁部と、
前記パレットの下面を構成する下壁部と、
前記パレットの対向する側面間を貫通する第１フォーク挿通路と、
前記パレットの対向する側面間を貫通し、前記第１フォーク挿通路と直交する第２フォーク挿通路と、
前記第１フォーク挿通路と隣接し該第１フォーク挿通路に沿って延びる第１側壁、及び前記第２フォーク挿通路と隣接し該第２フォーク挿通路に沿って延びる第２側壁を含む筒状の外周壁を有し、該外周壁が前記上壁部と前記下壁部とを連結するように構成された桁部と、を備え、
前記桁部は、前記第１側壁と前記第２側壁とが交わる角部において、前記第１側壁及び前記第２側壁の各々と繋がる全高区画リブによって区画された補強区画部と、前記全高区画リブから突出するように形成され、前記上壁部と前記下壁部の少なくとも一方と繋がる補強リブと、を備えていることを特徴とするパレット。
【請求項２】
請求項１に記載のパレットにおいて、
前記補強リブは、前記上壁部から前記下壁部に亘って延在する全高リブであることを特徴とするパレット。
【請求項３】
請求項１又は２に記載のパレットにおいて、
前記全高区画リブは、前記第１側壁の内側面から延出された第１全高区画リブと、前記第２側壁の内側面から延出され前記第１全高区画リブと交わる第２全高区画リブとを有し、
前記補強リブは、前記第１全高区画リブにおける前記第１側壁と繋がる端部と前記第２全高区画リブと交わる端部との間の中間位置、及び、前記第２全高区画リブにおける前記第２側壁と繋がる端部と前記第１全高区画リブと交わる端部との間の中間位置の少なくとも一方に設けられていることを特徴とするパレット。
【請求項４】
請求項１〜３のいずれか１項に記載のパレットにおいて、
前記全高区画リブは、前記第１側壁の内側面から延出された第１全高区画リブと、前記第２側壁の内側面から延出され前記第１全高区画リブと交わる第２全高区画リブとを有し、
前記補強リブは、前記第１全高区画リブと前記第２全高区画リブとがなす角部に設けられていることを特徴とするパレット。
【請求項５】
請求項１〜４のいずれか１項に記載のパレットにおいて、
前記補強区画部は、前記第１側壁及び前記第２側壁の少なくとも一方から補強区画部内に突出する側壁リブを備えていることを特徴とするパレット。
【請求項６】
請求項１〜５のいずれか１項に記載のパレットにおいて、
前記外周壁の内側には、前記上壁部及び前記下壁部の各々から突出する格子状の桁内デッキリブが形成されており、
前記補強リブは、前記桁内デッキリブと一体に形成されていることを特徴とするパレット。
【請求項７】
請求項１〜６のいずれか１項に記載のパレットにおいて、
前記補強区画部は、自身を構成する前記全高区画リブが他の全高リブを介して前記外周壁と繋がっていない独立した区画として構成されていることを特徴とするパレット。
【発明の詳細な説明】
【技術分野】
【０００１】
本発明は、物品の運搬や保管に使用されるパレットに関するものである。
【背景技術】
【０００２】
従来、物品の運搬や保管に使用される直方体状のパレットでは、例えば特許文献１に開示されるような四方差し構造のパレットがある。四方差し構造のパレットは、対向する一対の側面間を貫通する、互いに直交する第１フォーク挿通路と第２フォーク挿通路を備えている。また、パレットにおけるフォーク挿通路以外の部分には、パレットの上壁部と下壁部とを連結する桁部が複数形成されている。
【先行技術文献】
【特許文献】
【０００３】
【特許文献１】特開２００１−２１３４３２号公報
【発明の概要】
【発明が解決しようとする課題】
【０００４】
上記のようなパレットでは、桁部に想定外の負荷（過積載やフォークの衝突）が掛かって桁部が変形してしまうと、パレットの積載部（上壁部や下壁部）が撓むなどして、積載状態が不安定になってしまうため、桁部の剛性を確保して桁部の変形を如何に抑制するかが課題となっている。
【０００５】
本発明は、上記課題を解決するためになされたものであって、その目的は、桁部の変形を抑制できるパレットを提供することにある。
【課題を解決するための手段】
【０００６】
上記課題を解決するパレットは、直方体状をなす四方差し構造のパレットであって、前記パレットの上面を構成する上壁部と、前記パレットの下面を構成する下壁部と、前記パレットの対向する側面間を貫通する第１フォーク挿通路と、前記パレットの対向する側面間を貫通し、前記第１フォーク挿通路と直交する第２フォーク挿通路と、前記第１フォーク挿通路と隣接し該第１フォーク挿通路に沿って延びる第１側壁、及び前記第２フォーク挿通路と隣接し該第２フォーク挿通路に沿って延びる第２側壁を含む筒状の外周壁を有し、該外周壁が前記上壁部と前記下壁部とを連結するように構成された桁部と、を備え、前記桁部は、前記第１側壁と前記第２側壁とが交わる角部において、前記第１側壁及び前記第２側壁の各々と繋がる全高区画リブによって区画された補強区画部と、前記全高区画リブから突出するように形成され、前記上壁部と前記下壁部の少なくとも一方と繋がる補強リブと、を備えている。
【０００７】
この構成によれば、桁部は、第１側壁と第２側壁とが交わる角部（第１及び第２フォーク挿通路の交点に面する角部）において、全高区画リブによって区画された補強区画部を備えるため、当該角部の変形を抑制することができる。さらに、補強区画部を形成する全高区画リブには、補強リブが突出形成されるため、全高区画リブ自体の剛性を向上させることができ、その結果、桁部の角部の変形をより一層抑制できる。
【０００８】
上記パレットにおいて、前記補強リブは、前記上壁部から前記下壁部に亘って延在する全高リブである。
この構成によれば、全高リブとして形成された補強リブによって、補強区画部の全高区画リブの剛性がより一層向上され、その結果、桁部の角部の変形をより一層抑制できる。
【０００９】
上記パレットにおいて、前記全高区画リブは、前記第１側壁の内側面から延出された第１全高区画リブと、前記第２側壁の内側面から延出され前記第１全高区画リブと交わる第２全高区画リブとを有し、前記補強リブは、前記第１全高区画リブにおける前記第１側壁と繋がる端部と前記第２全高区画リブと交わる端部との間の中間位置、及び、前記第２全高区画リブにおける前記第２側壁と繋がる端部と前記第１全高区画リブと交わる端部との間の中間位置の少なくとも一方に設けられている。
【００１０】
この構成によれば、第１及び第２全高区画リブの少なくとも一方の中間位置に形成された補強リブによって、該第１及び第２全高区画リブの剛性を好適に向上させることができ、その結果、桁部の角部の変形をより一層抑制できる。
【００１１】
上記パレットにおいて、前記全高区画リブは、前記第１側壁の内側面から延出された第１全高区画リブと、前記第２側壁の内側面から延出され前記第１全高区画リブと交わる第２全高区画リブとを有し、前記補強リブは、前記第１全高区画リブと前記第２全高区画リブとがなす角部に設けられている。
【００１２】
この構成によれば、第１全高区画リブと第２全高区画リブとの角部にリブを備えることで、全高区画リブの剛性を好適に向上させることができ、その結果、桁部の変形をより一層抑制できる。
【００１３】
上記パレットにおいて、前記補強区画部は、前記第１側壁及び前記第２側壁の少なくとも一方から補強区画部内に突出する側壁リブを備えている。
この構成によれば、側壁リブによって補強区画部の剛性が向上され、その結果、桁部の角部の変形をより一層抑制できる。
【００１４】
上記パレットにおいて、前記外周壁の内側には、前記上壁部及び前記下壁部の各々から突出する格子状の桁内デッキリブが形成されており、前記補強リブは、前記桁内デッキリブと一体に形成されている。
【００１５】
この構成によれば、全高区画リブの補強リブが桁内デッキリブと一体をなすため、全高区画リブの剛性がより一層向上され、その結果、桁部の角部の変形をより一層抑制できる。
【００１６】
上記パレットにおいて、前記補強区画部は、自身を構成する前記全高区画リブが他の全高リブを介して前記外周壁と繋がっていない独立した区画として構成されている。
この構成によれば、桁部内の全高リブを少なく抑えて軽量化に寄与しつつも、補強区画部によって桁部の角部の変形を効果的に抑制できる。
【発明の効果】
【００１７】
本発明のパレットによれば、桁部の変形を抑制できる。
【図面の簡単な説明】
【００１８】
【図１】実施形態のパレットを示す斜視図。
【図２】同形態のパレット材を示す斜視図。
【図３】同形態のパレット材における隅桁付近の斜視図。
【図４】同形態のパレット材における隅桁付近の平面図。
【図５】同形態のパレット材における長手中間桁付近の斜視図。
【図６】同形態のパレット材における短手中間桁付近の斜視図。
【図７】同形態のパレット材における中央桁付近の斜視図。
【図８】変形例の隅桁を示す斜視図。
【発明を実施するための形態】
【００１９】
以下、パレットの一実施形態について、図１〜図７に従って説明する。なお、以下の説明では、互いに直交する三方（図中、Ｘ，Ｙ，Ｚ）をそれぞれ、パレットの幅方向Ｘ（長手方向）、奥行方向Ｙ（短手方向）、高さ方向Ｚ（厚さ方向）として説明する。
【００２０】
図１に示す本実施形態のパレット１０は、非発泡樹脂からなり、平面視（高さ方向Ｚ視）で略長方形状の直方体状に形成されている。なお、パレット１０の平面視において、長辺に沿った方向を幅方向Ｘとし、短辺に沿った方向を奥行方向Ｙとしている。パレット１０は、互いに同一形状をなす一対のパレット材１１（図２参照）が、例えば熱溶着によって高さ方向Ｚに互いに貼り合わされて構成される。
【００２１】
パレット１０は、パレット１０の上面を構成する上壁部１２と、パレット１０の下面を構成する下壁部１３と、上壁部１２と下壁部１３とを連結する複数の桁部１４とを備えている。上壁部１２及び下壁部１３は、高さ方向Ｚと直交するように形成されている。また、上壁部１２及び下壁部１３は、高さ方向Ｚに貫通する複数の貫通孔１５を有する網目構造をなしている。
【００２２】
図１及び図２に示すように、複数の桁部１４は、パレット１０の四隅に位置する４つの隅桁２１と、幅方向Ｘにおいて隅桁２１の間に位置する長手中間桁２２と、奥行方向Ｙにおいて隅桁２１の間に位置する短手中間桁２３と、パレット１０の中央に位置する中央桁２４（図２参照）とを含む。
【００２３】
パレット１０の桁部１４間には、パレット１０を幅方向Ｘに沿って貫通する一対の第１フォーク挿通路２５と、パレット１０を奥行方向Ｙに沿って貫通する一対の第２フォーク挿通路２６とが設けられている。詳しくは、各第１フォーク挿通路２５は、幅方向Ｘに対向するパレット１０の一対の側面１０ａ間を貫通している。また、各第２フォーク挿通路２６は、奥行方向Ｙに対向するパレット１０の一対の側面１０ｂ間を貫通している。また、各第１フォーク挿通路２５と各第２フォーク挿通路２６とは、互いに直交（つまり互いに連通）している。
【００２４】
次に、各桁部１４の詳細について、図３〜図７に従って説明する。なお、図３〜図７では、パレット材１１同士の貼り合わせ面（溶着面）である各桁部１４の先端面をハッチングを付して示しており、該貼り合わせ面（ハッチングを付した面）は、高さ方向Ｚにおいて同位置（面一）に形成されている。また、パレット１０の上壁部１２又は下壁部１３となるパレット材１１の部位をデッキ部２７として説明する。なお、デッキ部２７の裏面側には、幅方向Ｘ及び奥行方向Ｙに沿って延びる格子状のデッキリブ２７ａ（図２も参照）が、高さ方向Ｚに突出形成されている。
【００２５】
図３及び図４に示すように、隅桁２１は、デッキ部２７の裏面側から高さ方向Ｚに延びる筒状の外周壁３１を備えている。外周壁３１は、第１フォーク挿通路２５と隣接し該第１フォーク挿通路２５に沿って幅方向Ｘに延びる第１側壁３１ａと、第２フォーク挿通路２６と隣接し該第２フォーク挿通路２６に沿って奥行方向Ｙに延びる第２側壁３１ｂとを含み、高さ方向Ｚから見て略矩形筒状をなしている。
【００２６】
隅桁２１において、第１側壁３１ａと第２側壁３１ｂとが交わる角部には、幅方向Ｘ及び奥行方向Ｙの四方が閉塞された補強区画部３２が形成されている。補強区画部３２は、奥行方向Ｙに延びて第１側壁３１ａと直交する第１全高区画リブ３２ａと、幅方向Ｘに延びて第２側壁３１ｂと直交する第２全高区画リブ３２ｂとを有している。第１全高区画リブ３２ａは、幅方向Ｘと直交する板状をなす。また、第２全高区画リブ３２ｂは、奥行方向Ｙと直交する板状をなす。そして、第１及び第２全高区画リブ３２ａ，３２ｂは互いに直交しており、それら各全高区画リブ３２ａ，３２ｂと各側壁３１ａ，３１ｂとが補強区画部３２を形成している。
【００２７】
また、第１及び第２全高区画リブ３２ａ，３２ｂは、全高リブである。本実施形態における全高リブとは、高さ方向Ｚにおいて、デッキ部２７からパレット材１１の貼り合わせ面（隅桁２１においては外周壁３１の先端面）まで延びるリブである。すなわち、パレット材１１（隅桁２１）同士が貼り合わされた状態（パレット１０が成形された状態）では、各全高区画リブ３２ａ，３２ｂは、パレット１０の上壁部１２から下壁部１３にかけて高さ方向Ｚに沿って延在するように構成される。
【００２８】
図４に示すように、幅方向Ｘにおいて、補強区画部３２の寸法Ｄ１（第２側壁３１ｂから第１全高区画リブ３２ａまでの間隔）は、隅桁２１（外周壁３１）全体の寸法Ｄ２の１／３以上、かつ、１／２以下に設定されている。また、本実施形態では、外周壁３１の内側には、全高リブＲにて区画された複数の補強区画Ｓが、パレット１０の側面１０ａ，１０ｂに沿って形成されている。そして、補強区画部３２の幅方向Ｘの寸法Ｄ１は、隅桁２１における補強区画Ｓを除いた部分の幅方向Ｘの寸法Ｄ３（幅方向Ｘにおける第２側壁３１ｂから全高リブＲまでの寸法）の略半分に設定されている。また、補強区画部３２の奥行方向Ｙの寸法についても、上記した幅方向Ｘの寸法と同様の設定となっている。
【００２９】
図３及び図４に示すように、補強区画部３２は、第１〜第４の補強リブ３３，３４，３５ａ，３５ｂ，３６ａ，３６ｂを備えている。
第１の補強リブ３３は、第１全高区画リブ３２ａの板面（幅方向Ｘと直交する面）から幅方向Ｘに突出している。第１の補強リブ３３は、補強区画部３２の内外にそれぞれ突出するように、第１全高区画リブ３２ａの内側面及び外側面にそれぞれ形成されている。また、第１の補強リブ３３は、第１全高区画リブ３２ａの奥行方向Ｙの中心位置に形成されている。なお、第１の補強リブ３３の幅方向Ｘへの突出量は、第１全高区画リブ３２ａの幅方向Ｘの厚さ以上に設定されている。また、第１の補強リブ３３は、第１全高区画リブ３２ａと同様に全高リブである。すなわち、第１の補強リブ３３は、高さ方向Ｚにおいて、デッキ部２７から第１全高区画リブ３２ａの先端面（貼り合わせ面）まで延びている。
【００３０】
第２の補強リブ３４は、第２全高区画リブ３２ｂの板面（奥行方向Ｙと直交する面）から奥行方向Ｙに突出している。第２の補強リブ３４は、補強区画部３２の内外にそれぞれ突出するように、第２全高区画リブ３２ｂの内側面及び外側面にそれぞれ形成されている。また、第２の補強リブ３４は、第２全高区画リブ３２ｂの幅方向Ｘの中心位置に形成されている。なお、第２の補強リブ３４の幅方向Ｘへの突出量は、第２全高区画リブ３２ｂの幅方向Ｘの厚さ以上に設定されている。また、第２の補強リブ３４は、第２全高区画リブ３２ｂと同様に全高リブである。すなわち、第２の補強リブ３４は、高さ方向Ｚにおいて、デッキ部２７から第２全高区画リブ３２ｂの先端面（貼り合わせ面）まで延びている。
【００３１】
第３の補強リブ３５ａ，３５ｂは、第１全高区画リブ３２ａと第２全高区画リブ３２ｂとが交わる角部に形成されている。一方の第３の補強リブ３５ａは、第１全高区画リブ３２ａの延長上に奥行方向Ｙに突出するように形成されている。他方の第３の補強リブ３５ｂは、第２全高区画リブ３２ｂの延長上に幅方向Ｘに突出するように形成されている。なお、第３の補強リブ３５ａ，３５ｂの突出量は、第１及び第２の補強リブ３３，３４の突出量と略同等に設定されている。また、各第３の補強リブ３５ａ，３５ｂは、全高リブである。つまり、各第３の補強リブ３５ａ，３５ｂは、高さ方向Ｚにおいて、デッキ部２７から各全高区画リブ３２ａ，３２ｂの先端面（貼り合わせ面）まで延びている。
【００３２】
第４の補強リブ３６ａ，３６ｂは、外周壁３１の内側面から補強区画部３２内に突出するリブである。一方の第４の補強リブ３６ａは、補強区画部３２の幅方向Ｘの中心位置において、第１側壁３１ａの内側面から奥行方向Ｙに突出している。また、他方の第４の補強リブ３６ｂは、補強区画部３２の奥行方向Ｙの中心位置において、第２側壁３１ｂの内側面から幅方向Ｘに突出している。各第４の補強リブ３６ａ，３６ｂは、全高リブである。つまり、各第４の補強リブ３６ａ，３６ｂは、高さ方向Ｚにおいて、デッキ部２７から外周壁３１の先端面（貼り合わせ面）まで延びている。
【００３３】
上記の各全高区画リブ３２ａ，３２ｂ及び各補強リブ３３，３４，３５ａ，３５ｂ，３６ａ，３６ｂは、前記デッキリブ２７ａの延長上に位置するように形成されている。なお、デッキリブ２７ａは、外周壁３１よりも高さが低く形成されている。また、外周壁３１の内側において、デッキリブ２７ａの延長上位置には、デッキ部２７から高さ方向Ｚに突出する格子状の桁内デッキリブ３７が形成されている。上記の各全高区画リブ３２ａ，３２ｂ及び各補強リブ３３，３４，３５ａ，３５ｂ，３６ａ，３６ｂは、高さ方向Ｚから見て、桁内デッキリブ３７と同位置に形成されている。すなわち、各全高区画リブ３２ａ，３２ｂ及び各補強リブ３３，３４，３５ａ，３５ｂ，３６ａ，３６ｂは、桁内デッキリブ３７と一体に形成されている。なお、桁内デッキリブ３７の高さは、外周壁３１及びデッキリブ２７ａよりも低く形成されている。
【００３４】
図５に示すように、長手中間桁２２は、デッキ部２７の裏面側から高さ方向Ｚに延びる筒状の外周壁４１を備えている。外周壁４１は、第１フォーク挿通路２５と隣接し該第１フォーク挿通路２５に沿って幅方向Ｘに延びる第１側壁４１ａと、第２フォーク挿通路２６と隣接し該第２フォーク挿通路２６に沿って奥行方向Ｙに延びる一対の第２側壁４１ｂとを含み、高さ方向Ｚから見て略矩形筒状をなしている。
【００３５】
長手中間桁２２において、第１側壁４１ａと各第２側壁４１ｂとが交わる角部にはそれぞれ、幅方向Ｘ及び奥行方向Ｙの四方が閉塞された補強区画部４２が形成されている。各補強区画部４２は、前述した隅桁２１の補強区画部３２と同様の構成を有している。このため、各補強区画部４２において、隅桁２１の補強区画部３２と同様の構成については、同一の符号を付して、その詳細な説明を省略する。
【００３６】
長手中間桁２２は、幅方向Ｘの寸法が奥行方向Ｙの寸法の２倍以上に設定されている。長手中間桁２２の幅方向Ｘの中央には、奥行方向Ｙに対向する外周壁４１間を繋ぐ全高リブＲ１が、奥行方向Ｙに沿って形成されている。そして、長手中間桁２２は、全高リブＲ１に対して線対称となるように構成されている。また、幅方向Ｘにおいて、補強区画部４２の寸法（第２側壁４１ｂから第１全高区画リブ３２ａまでの寸法）は、長手中間桁２２の半分の寸法（第２側壁４１ｂから全高リブＲ１までの寸法）の１／３以上、かつ、１／２以下に設定されている。なお、長手中間桁２２の奥行方向Ｙの寸法は、隅桁２１の奥行方向Ｙの寸法と同一に設定されており、補強区画部４２の奥行方向Ｙの寸法は、隅桁２１の補強区画部３２の奥行方向Ｙの寸法と同様の設定となっている。
【００３７】
長手中間桁２２の外周壁４１の内側において、デッキリブ２７ａの延長上位置には、デッキ部２７から高さ方向Ｚに突出する格子状の桁内デッキリブ４３が形成されている。この桁内デッキリブ４３のうち、補強区画部４２の外側位置で幅方向Ｘに延在するリブであって、長手中間桁２２の奥行方向Ｙの略中央に位置するリブ４３ａの高さは、他の桁内デッキリブ４３よりも高く形成されている。なお、このリブ４３ａは、第２全高区画リブ３２ｂの延長上に位置している。
【００３８】
図６に示すように、短手中間桁２３は、デッキ部２７の裏面側から高さ方向Ｚに延びる筒状の外周壁５１を備えている。外周壁５１は、第１フォーク挿通路２５と隣接し該第１フォーク挿通路２５に沿って幅方向Ｘに延びる一対の第１側壁５１ａと、第２フォーク挿通路２６と隣接し該第２フォーク挿通路２６に沿って奥行方向Ｙに延びる第２側壁５１ｂとを含み、高さ方向Ｚから見て略矩形筒状をなしている。
【００３９】
短手中間桁２３において、各第１側壁５１ａと第２側壁５１ｂとが交わる角部にはそれぞれ、幅方向Ｘ及び奥行方向Ｙの四方が閉塞された補強区画部５２が形成されている。各補強区画部５２は、前述した隅桁２１の補強区画部３２と略同様の構成を有している。このため、各補強区画部５２において、隅桁２１の補強区画部３２と同様の構成については、同一の符号を付して、その詳細な説明を省略する。
【００４０】
各補強区画部５２は、短手中間桁２３（外周壁５１）の奥行方向Ｙの寸法の関係上、第２全高区画リブ３２ｂを共有した構成となっており、奥行方向Ｙに互いに隣接している。つまり、短手中間桁２３には、第１全高区画リブ３２ａが各補強区画部５２にそれぞれ対応して２つ形成されているが、第２全高区画リブ３２ｂは１つのみ形成されている。また、この第２全高区画リブ３２ｂは、短手中間桁２３の奥行方向Ｙの中心位置に形成されている。すなわち、各補強区画部５２の奥行方向Ｙの寸法は、短手中間桁２３の奥行方向Ｙの寸法の半分に設定されている。
【００４１】
図７に示すように、中央桁２４は、デッキ部２７の裏面側から高さ方向Ｚに延びる筒状の外周壁６１を備えている。外周壁６１は、第１フォーク挿通路２５と隣接し該第１フォーク挿通路２５に沿って幅方向Ｘに延びる一対の第１側壁６１ａと、第２フォーク挿通路２６と隣接し該第２フォーク挿通路２６に沿って奥行方向Ｙに延びる一対の第２側壁６１ｂとを含み、高さ方向Ｚから見て略矩形筒状をなしている。
【００４２】
中央桁２４において、各第１側壁６１ａと各第２側壁６１ｂとが交わる角部（外周壁６１の四隅）にはそれぞれ、幅方向Ｘ及び奥行方向Ｙの四方が閉塞された補強区画部６２が形成されている。各補強区画部６２は、前述した隅桁２１の補強区画部３２と略同様の構成を有している。このため、各補強区画部６２において、隅桁２１の補強区画部３２と同様の構成については、同一の符号を付して、その詳細な説明を省略する。
【００４３】
中央桁２４の奥行方向Ｙの寸法は、短手中間桁２３の奥行方向Ｙの寸法と同一に設定されている。このため、短手中間桁２３の各補強区画部５２と同様に、奥行方向Ｙにおいて補強区画部６２は互いに隣接しており、第２全高区画リブ３２ｂを共有した構成となっている。つまり、中央桁２４には、第１全高区画リブ３２ａが各補強区画部６２にそれぞれ対応して２つ形成されているが、第２全高区画リブ３２ｂは１つのみ形成されている。また、第２全高区画リブ３２ｂは、中央桁２４の奥行方向Ｙの中心位置に形成されている。すなわち、補強区画部６２の奥行方向Ｙの寸法は、中央桁２４の奥行方向Ｙの寸法の半分に設定されている。
【００４４】
また、中央桁２４の幅方向Ｘの寸法は、長手中間桁２２の幅方向Ｘの寸法と同一に設定されている。中央桁２４の幅方向Ｘの中央には、奥行方向Ｙに対向する第１側壁６１ａ間を繋ぐ全高リブＲ２が、奥行方向Ｙに沿って形成されている。そして、中央桁２４は、全高リブＲ２に対して線対称となるように構成されている。また、幅方向Ｘにおいて、補強区画部６２の寸法（第２側壁６１ｂから第１全高区画リブ３２ａまでの寸法）は、中央桁２４の半分の寸法（第２側壁６１ｂから全高リブＲ２までの寸法）の１／３以上、かつ、１／２以下に設定されている。
【００４５】
中央桁２４の外周壁６１の内側において、デッキリブ２７ａの延長上位置には、デッキ部２７から高さ方向Ｚに突出する格子状の桁内デッキリブ６３が形成されている。この桁内デッキリブ６３のうち、補強区画部６２の外側位置で幅方向Ｘに延在するリブであって、中央桁２４の奥行方向Ｙの中央に位置するリブ６３ａの高さは、他の桁内デッキリブ６３よりも高く形成されている。なお、このリブ６３ａは、第２全高区画リブ３２ｂの延長上に位置している。
【００４６】
次に、本実施形態の作用について説明する。
各桁部１４（隅桁２１、長手中間桁２２、短手中間桁２３及び中央桁２４）において、第１及び第２フォーク挿通路２５，２６の交点に面する角部には、第１及び第２全高区画リブ３２ａ，３２ｂにて区画された補強区画部３２，４２，５２，６２が形成されている。これにより、各桁部１４の剛性が向上されている。さらに、各補強区画部３２，４２，５２，６２には、第１〜第４の補強リブ３３，３４，３５ａ，３５ｂ，３６ａ，３６ｂが形成されているため、補強区画部３２，４２，５２，６２の剛性が向上され、その結果、各桁部１４の剛性がより一層向上されるようになっている。
【００４７】
次に、本実施形態の効果を記載する。
（１）隅桁２１の補強区画部３２には、第１及び第２全高区画リブ３２ａ，３２ｂから突出するように形成され、上壁部１２及び下壁部１３の各々と繋がる補強リブ（第１の補強リブ３３、第２の補強リブ３４及び第３の補強リブ３５ａ，３５ｂ）が形成されている。これにより、補強区画部３２を構成する第１及び第２全高区画リブ３２ａ，３２ｂ自体の剛性を向上させることができ、その結果、隅桁２１の変形をより一層抑制できる。また、本実施形態では、隅桁２１以外の各桁部１４（長手中間桁２２、短手中間桁２３及び中央桁２４）における補強区画部４２，５２，６２にも同様の補強リブが形成され、各桁部１４の変形が抑制されている。
【００４８】
（２）第１〜第４の補強リブ３３，３４，３５ａ，３５ｂ，３６ａ，３６ｂは、上壁部１２から下壁部１３に亘って延在する全高リブである。この構成によれば、全高リブとして形成された第１〜第４の補強リブ３３，３４，３５ａ，３５ｂ，３６ａ，３６ｂによって、補強区画部３２，４２，５２，６２の剛性がより一層向上され、その結果、桁部１４の変形をより一層抑制できる。
【００４９】
（３）第１の補強リブ３３は、第１全高区画リブ３２ａにおける第１側壁３１ａと繋がる端部と第２全高区画リブ３２ｂと交わる端部との間の中間位置に設けられている。また、第２の補強リブ３４は、第２全高区画リブ３２ｂにおける第２側壁３１ｂと繋がる端部と第１全高区画リブ３２ａと交わる端部との間の中間位置に設けられている。この構成によれば、第１及び第２全高区画リブ３２ａ，３２ｂの中間位置にそれぞれ形成された第１及び第２の補強リブ３３，３４によって、該第１及び第２全高区画リブ３２ａ，３２ｂの剛性を好適に向上させることができ、その結果、桁部１４の変形をより一層抑制できる。
【００５０】
さらに、本実施形態では、第１の補強リブ３３は、第１全高区画リブ３２ａの奥行方向Ｙの中心位置に形成される。同様に、第２の補強リブ３４は、第２全高区画リブ３２ｂの幅方向Ｘの中心位置に形成される。これにより、各全高区画リブ３２ａ，３２ｂの剛性を好適に向上させることができる。
【００５１】
（４）第３の補強リブ３５ａ，３５ｂは、第１全高区画リブ３２ａと第２全高区画リブ３２ｂとがなす角部に設けられている。当該角部は、応力が集中しやすいため、当該角部に第３の補強リブ３５ａ，３５ｂを備えることで、補強区画部３２，４２，５２，６２の剛性を好適に向上させることができ、その結果、桁部１４の変形をより一層抑制できる。また、本実施形態では、各第３の補強リブ３５ａ，３５ｂを形成することで、第１全高区画リブ３２ａと第２全高区画リブ３２ｂとの角部に十字状のリブ構成を形成することができ、その結果、当該角部に掛かる応力をより効果的に分散させることができる。
【００５２】
（５）隅桁２１の補強区画部３２は、第１側壁３１ａ及び第２側壁３１ｂの各々から補強区画部３２内に突出する第４の補強リブ３６ａ，３６ｂ（側壁リブ）を備えている。この構成によれば、側壁リブとしての第４の補強リブ３６ａ，３６ｂによって補強区画部３２の剛性が向上され、その結果、隅桁２１の変形をより一層抑制できる。また、本実施形態では、隅桁２１以外の各桁部１４（長手中間桁２２、短手中間桁２３及び中央桁２４）における補強区画部４２，５２，６２にも同様の第４の補強リブ３６ａ，３６ｂが形成されており、隅桁２１の場合と同様の効果を得ることができる。
【００５３】
（６）隅桁２１において、外周壁３１の内側には、上壁部１２及び下壁部１３（デッキ部２７）の各々から突出する格子状の桁内デッキリブ３７が形成されており、各補強リブ３３，３４，３５ａ，３５ｂ，３６ａ，３６ｂは、桁内デッキリブ３７と一体に形成されている。この構成によれば、各補強リブ３３，３４，３５ａ，３５ｂ，３６ａ，３６ｂが桁内デッキリブ３７と一体をなすため、補強区画部３２の剛性がより一層向上され、その結果、隅桁２１の変形をより一層抑制できる。また、本実施形態では、隅桁２１以外の各桁部１４（長手中間桁２２、短手中間桁２３及び中央桁２４）においても同様の構成が採用されており、隅桁２１の場合と同様の効果を得ることができる。
【００５４】
（７）隅桁２１の補強区画部３２は、自身を構成する第１及び第２全高区画リブ３２ａ，３２ｂが他の全高リブを介して外周壁３１と繋がっていない独立した区画として構成されている。ここで、隅桁２１の剛性を向上させる点だけを考えれば、例えば、外周壁３１の内側の桁内デッキリブ３７を全て全高リブとすればよいが、それでは、パレット１０の軽量化を図る点で不利となる。その点、本実施形態のように、補強区画部３２を独立した区画として構成することで、隅桁２１内の全高リブを少なく抑えて軽量化に寄与しつつも、第１及び第２全高区画リブ３２ａ，３２ｂを備える補強区画部３２によって隅桁２１の変形を効果的に抑制できる。また、長手中間桁２２の補強区画部４２においても同様の構成が採用されており、隅桁２１の場合と同様の効果を得ることができる。
【００５５】
（８）パレット１０の幅方向Ｘにおいて、隅桁２１の補強区画部３２の寸法Ｄ１は、隅桁２１全体の寸法Ｄ２の１／３以上、かつ、１／２以下に設定されている。また、補強区画部３２の奥行方向Ｙの寸法についても、上記の幅方向Ｘの寸法と同様に設定されている。これにより、補強区画部３２を構成する第１全高区画リブ３２ａと第２全高区画リブ３２ｂとの角部が、隅桁２１の略中央に位置するため、隅桁２１の中央に集中的に荷重が掛かった場合でも、隅桁２１の変形を好適に抑制できる。また、短手中間桁２３の補強区画部５２も同様の構成をなすため、短手中間桁２３の中央に集中的に荷重が掛かった場合でも、短手中間桁２３の変形を好適に抑制できる。
【００５６】
（９）長手中間桁２２において、補強区画部４２外に形成された桁内デッキリブ４３のうち、長手中間桁２２の長手方向（幅方向Ｘ）に延在し長手中間桁２２の奥行方向Ｙの略中央に位置するリブ４３ａの高さは、他の桁内デッキリブ４３よりも高く形成されている。これにより、長手中間桁２２における補強区画部４２外のデッキ部２７の撓みを抑制できる。また、中央桁２４の桁内デッキリブ６３（リブ６３ａ）も同様の構成をなすため、中央桁２４における補強区画部６２外のデッキ部２７の撓みを抑制できる。
【００５７】
なお、上記実施形態は、以下のように変更してもよい。
・補強区画部３２，４２，５２，６２に設けられる各補強リブ３３，３４，３５ａ，３５ｂ，３６ａ，３６ｂの構成は、上記実施形態に限定されるものではなく、桁部１４が必要とする剛性に応じて適宜変更可能である。
【００５８】
例えば、図８に示すように、隅桁２１の補強区画部３２から第３の補強リブ３５ａ，３５ｂを省略してもよい。なお、他の桁部１４の補強区画部４２，５２，６２についても、第３の補強リブ３５ａ，３５ｂを省略可能である。
【００５９】
また、上記実施形態では、第１の補強リブ３３は、第１全高区画リブ３２ａの内側面及び外側面にそれぞれ形成されたが、これに限らず、第１全高区画リブ３２ａの内側面及び外側面のいずれか一方のみに形成してもよい。また、第２の補強リブ３４についても同様の変更が可能である。
【００６０】
また、上記実施形態の補強区画部３２，４２，５２，６２から第１及び第２の補強リブ３３，３４のいずれか、又は両方を省略してもよい。また、上記実施形態の補強区画部３２，４２，５２，６２から一対の第４の補強リブ３６ａ，３６ｂのいずれか、又は両方を省略してもよい。
【００６１】
・上記実施形態では、各補強リブ３３，３４，３５ａ，３５ｂ，３６ａ，３６ｂを全高リブとしたが、これに限らず、非全高リブ（高さ方向Ｚの先端が貼り合わせ面まで延びていないリブ）としてもよい。
【００６２】
・上記実施形態では、各桁部１４に補強区画部３２，４２，５２，６２を備えたが、これに限らず、桁部１４の少なくとも１つに補強区画部を備えていればよい。
・上記実施形態のパレット１０は非発泡樹脂からなるが、これに限らず、発泡樹脂にて構成してもよい。
【００６３】
・上記実施形態では、上壁部１２及び下壁部１３は、複数の貫通孔１５を有する網目構造をなすが、これに特に限定されるものではなく、所謂ベタ面構造としてもよい。
・上記実施形態では、一対のパレット材１１が同一形状をなす両面使用型のパレット１０に適用したが、これに特に限定されるものではなく、片面使用型のパレットに適用してもよい。
【００６４】
・上記した実施形態並びに各変形例は適宜組み合わせてもよい。
【符号の説明】
【００６５】
１０…パレット、１０ａ，１０ｂ…側面、１１…パレット材、１２…上壁部、１３…下壁部、１４…桁部、２１…隅桁、２２…長手中間桁、２３…短手中間桁、２４…中央桁、２５…第１フォーク挿通路、２６…第２フォーク挿通路、３１，４１，５１，６１…外周壁、３１ａ，４１ａ，５１ａ，６１ａ…第１側壁、３１ｂ，４１ｂ，５１ｂ，６１ｂ…第２側壁、３２，４２，５２，６２…補強区画部、３２ａ…第１全高区画リブ（全高区画リブ）、３２ｂ…第２全高区画リブ（全高区画リブ）、３３…第１の補強リブ、３４…第２の補強リブ、３５ａ，３５ｂ…第３の補強リブ、３６ａ，３６ｂ…第４の補強リブ（側壁リブ）、３７，４３，６３…桁内デッキリブ。
【図１】
2018122926.tif 000003
【図２】
2018122926.tif 000004
【図３】
2018122926.tif 000005
【図４】
2018122926.tif 000006
【図５】
2018122926.tif 000007
【図６】
2018122926.tif 000008
【図７】
2018122926.tif 000009
【図８】
2018122926.tif 000010